(57)【特許請求の範囲】
【請求項１】
最終像および少なくとも１つの中間像を形成する複数の結像レンズと、
該結像レンズにより形成されるいずれかの前記中間像よりも物体側に配置され、前記物体からの光の波面に空間的な乱れを付与する第１の位相変調素子と、
該第１の位相変調素子との間に少なくとも１つの中間像を挟む位置に配置され、前記第１の位相変調素子により前記物体からの光の波面に付与された空間的な乱れを打ち消す第２の位相変調素子とを備え、
前記第１の位相変調素子および前記第２の位相変調素子の各々が、複屈折媒質から形成され、前記物体からの光を複屈折させる複数個のプリズムを備える結像光学系。
【請求項２】
前記第１の位相変調素子および前記第２の位相変調素子の各々が、前記複数個の前記プリズムの間に配置された４分の１波長板を有する請求項１に記載の結像光学系。
【請求項３】
前記第１の位相変調素子は、前記結像レンズの光軸に交差する平面上において２次元的に配列する複数個の集光点を前記中間像として形成する請求項１または請求項２に記載の結像光学系。
【請求項４】
請求項１から請求項３のいずれかに記載の結像光学系と、
該結像光学系の物体側に配置され、該結像光学系に入射させる照明光を発生する光源とを備える照明装置。
【請求項５】
請求項１から請求項３のいずれかに記載の結像光学系と、
該結像光学系の最終像側に配置され、観察対象物から発せられた光を検出する光検出器とを備える観察装置。
【請求項６】
請求項１から請求項３のいずれかに記載の結像光学系と、
該結像光学系の物体側に配置され、該結像光学系に入射させる照明光を発生する光源と、
前記結像光学系の最終像側に配置され、観察対象物から発せられた光を検出する光検出器とを備える観察装置。
【請求項７】
請求項４に記載の照明装置と、
該照明装置によって照明された観察対象物から発せられた光を検出する光検出器とを備え、
前記光源が、パルスレーザ光源である観察装置。
【発明の詳細な説明】
【技術分野】
【０００１】
本発明は、結像光学系、照明装置および観察装置に関するものである。
【背景技術】
【０００２】
従来、中間像位置において光路長を調節することにより、合焦点位置を光軸に沿う方向（Ｚ軸上）に移動させる方法が知られている（例えば、特許文献１参照。）。
【先行技術文献】
【特許文献】
【０００３】
【特許文献１】特許第４０１１７０４号公報
【発明の概要】
【発明が解決しようとする課題】
【０００４】
しかしながら、特許文献１の方法では、中間像面に平面鏡を配置するので、平面鏡の表面の傷や異物が像に重なってしまうという不都合がある。また、顕微鏡光学系に適用される場合には、拡大光学系であるため、縦倍率は横倍率の２乗に等しく、合焦点位置の光軸に沿う方向への僅かな移動によっても、中間像はその光軸方向に大きく移動する。その結果、移動した中間像がその前後に位置していたレンズに重なると、上記と同様に、レンズの表面の傷や異物あるいはレンズ内の欠陥等が最終的な像に重なってしまうという不都合がある。このことから、従来技術による光軸（Ｚ軸）方向走査機能を備えた顕微鏡装置においては、Ｚ軸方向に異なる合焦位置で観察等を行おうすると、鮮明な最終像を得ることが困難であり、長年、光軸方向走査型の顕微鏡装置における宿命として解消できない課題であった。【０００５】
本発明は上述した事情に鑑みてなされたものであって、中間像が光学素子に一致する位置で結像されても、中間像に光学素子の傷、異物および欠陥等が重なることを防止して鮮明な最終像を取得することができ、かつ、製造が容易である結像光学系、照明装置および観察装置を提供することを目的としている。
【課題を解決するための手段】
【０００６】
上記目的を達成するために、本発明は以下の手段を提供する。
本発明の第１の態様は、最終像および少なくとも１つの中間像を形成する複数の結像レンズと、該結像レンズにより形成されるいずれかの前記中間像よりも物体側に配置され、前記物体からの光の波面に空間的な乱れを付与する第１の位相変調素子と、該第１の位相変調素子との間に少なくとも１つの中間像を挟む位置に配置され、前記第１の位相変調素子により前記物体からの光の波面に付与された空間的な乱れを打ち消す第２の位相変調素子とを備え、前記第１の位相変調素子および前記第２の位相変調素子の各々が、複屈折媒質から形成され、前記物体からの光を複屈折させる複数個のプリズムを備える結像光学系である。
【０００７】
本明細書においては、像のあり方として、「鮮明な像」および「不鮮明な像」（または「ぼやけた像」）という２つの概念を用いる。
まず「鮮明な像」とは、物体から発した光の波面に、空間的な乱れが付与されていない状態で、あるいは一旦付与された乱れが打ち消され解消された状態で、結像レンズを介して生成された像であり、光の波長と結像レンズの開口数とで決まる空間周波数帯域、あるいはそれに準ずる空間周波数帯域、あるいは目的に応じた所望の空間周波数帯域を有するものを意味する。【０００８】
次に「不鮮明な像」（または「ぼやけた像」）とは、物体から発した光の波面に、空間的な乱れが付与された状態で、結像レンズを介して生成された像であり、その像の近傍に配置された光学素子の表面や内部に存在する傷や異物や欠陥等が、実質的に最終像として形成されない様な特性を有するものを意味する。【０００９】
このようにして形成された「不鮮明な像」（または「ぼやけた像」）は、単に焦点の外れた像とは異なり、本来結像されるはずだった位置（すなわち仮に波面の空間的な乱れが付与されなかった場合に結像される位置）における像も含めて、光軸方向の広い範囲にわたって、像コントラストの明確なピークを持たず、その空間周波数帯域は、「鮮明な像」の空間周波数帯域に比べて、常に狭いものとなる。【００１０】
以下、本明細書における「鮮明な像」および「不鮮明な像」（または「ぼやけた像」）は、上記概念に基づくものであり、Ｚ軸上での中間像の移動とは、本発明ではぼやけた中間像の状態のまま移動することを意味する。また、Ｚ軸走査とは、Ｚ軸上での光の移動のみに限らず、後述するようにＸＹ上の光移動を伴なっていてもよい。【００１１】
本態様によれば、結像レンズの物体側から入射された光は結像レンズによって集光されることにより最終像を結像する。この場合において、物体からの光が中間像の一つよりも物体側に配置された第１の位相変調素子を通過することにより、光の波面に空間的な乱れが付与され、結像される中間像はぼやける。具体的には、光は、第１の位相変調素子を通過する際にプリズムによる複屈折によって複数個の光束に分割され、中間結像面において複数個の集光点に分離して集光する。【００１２】
中間像を結像した光は第２の位相変調素子を通過することにより、第１の位相変調素子によって付与された波面の空間的な乱れが打ち消される。具体的には、中間結像面において複数個の集光点を形成した複数の光束は、第２の位相変調素子を通過する際にプリズムによる複屈折によって１つに合成され、最終結像面において単一の集光点に集光する。これにより、最終結像面においては、鮮明な物体の像が復元される。このようにすることで、第２の位相変調素子以降においてなされる最終像の結像においては、鮮明な像を得ることができる。特に、走査系により、結像光学系を通過する光は上記の空間変調状態を保ったままＺ軸上を中間像が移動し、Ｚ軸走査中に結像光学系のどのレンズについても中間像がぼやけたまま通過する。【００１３】
すなわち、中間像をぼやけさせることにより、中間像位置に何らかの光学素子が配置されて、該光学素子の表面や内部に傷、異物あるいは欠陥等が存在していてもそれらが中間像に重なって、最終的に最終像の一部として形成されてしまう不都合の発生を防止することができる。また、顕微鏡光学系に適用される場合には、フォーカシング等によりＺ軸上での移動した中間像がその前後に位置していたレンズに重なったとしても、レンズの表面の傷や異物あるいはレンズ内の欠陥等が最終的な像に映りこむようなノイズ画像を生じない。また、第１および第２の位相変調素子として、研磨が容易な平坦な表面形状を有するプリズムを使用することで、中間像を不鮮明化する手段として、例えばマイクロレンズアレイやレンチキュラーを使用する場合と比較して、装置を容易に製造することができる。【００１４】
上記第１の態様においては、前記第１の位相変調素子および前記第２の位相変調素子の各々が、複数個の前記プリズムを備える。
このようにすることで、プリズムの数が２個、３個、４個・・・と増加すると、第１の位相変調素子による光の分割数が４本、８本、１６本・・・と増加し、中間結像面における集光点の数も、４個、８個、１６個・・・と増加する。したがって、プリズムの数が多
い程、中間像の不鮮明化効果を高めることができる。
【００１５】
上記第１の態様においては、前記第１の位相変調素子および前記第２の位相変調素子の各々が、前記複数個の前記プリズムの間に配置された４分の１波長板を有していてもよい。
第１の位相変調素子において、一のプリズムに入射した光は、該一のプリズムによって２つの直線偏光に分割され、各直線偏光は４分の１波長板によって円偏光に変換された後に次のプリズムによって２つの直線偏光に分割される。これにより、第１の位相変調素子に入射した単一の入射光は、４以上の直線偏光に変換され、中間結像面において、結像レンズの光軸に交差する方向に一列に配列する４個以上の集光点を形成する。このように、プリズム同士の間に４分の１波長板を配置するだけで、中間結像面における集光点の数を簡単な構成で増大することができ、中間結像面における集光点の配列の自由度を向上することができる。【００１６】
上記第１の態様においては、前記第１の位相変調素子は、前記結像レンズの光軸に交差する平面上において２次元的に配列する複数個の集光点を前記中間像として形成してもよい。
このようにすることで、中間像を効果的に不鮮明化することができる。平面上において集光点を２次元的に配列するためには、例えば、第１の位相変調素子を構成する任意の２個のプリズムの内、物体側のプリズムの光学軸と像側の光学軸とがねじれの関係となるように、物体側のプリズムに対して像側のプリズムを光軸回りに傾ければよい。【００１７】
本発明の第２の態様は、上記いずれかに記載の結像光学系と、該結像光学系の物体側に配置され、該結像光学系に入射させる照明光を発生する光源とを備える照明装置である。
本態様によれば、物体側に配置された光源から発せられた照明光が結像光学系に入射することにより、最終像側に配置された観察対象物に照明光を照射することができる。この場合において、第１の位相変調素子によって、結像光学系により形成される中間像がぼやけるので、中間像位置に何らかの光学素子が配置されて、光学素子の表面や内部に傷、異物あるいは欠陥等が存在していても、それらが中間像に重なって最終的に最終像の一部として形成されてしまう不都合の発生を防止することができる。【００１８】
本発明の第３の態様は、上記いずれかに記載の結像光学系と、該結像光学系の最終像側に配置され、観察対象物から発せられた光を検出する光検出器とを備える観察装置である。
本態様によれば、結像光学系により、光学素子の表面や内部に傷、異物あるいは欠陥等の像が中間像に重なることが防止されることによって、鮮明な最終像を光検出器によって検出することができる。【００１９】
本発明の第４の態様は、上記いずれかの結像光学系と、該結像光学系の物体側に配置され、該結像光学系に入射させる照明光を発生させる光源と、前記結像光学系の最終像側に配置され、観察対象物から発せられた光を検出する光検出器とを備える観察装置である。
本態様によれば、観察対象部における照明光の走査範囲にわたり鮮明な最終像を取得することができる。【００２０】
本発明の第５の態様は、上記の照明装置と、該照明装置によって照明された観察対象物から発せられた光を検出する光検出器とを備え、前記光源が、パルスレーザ光源である観察装置である。
本態様によれば、観察対象物を多光子励起観察することができる。【００２１】
本発明の第１の参考例は、最終像および少なくとも１つの中間像を形成する複数の結像レンズと、該結像レンズにより形成されるいずれかの前記中間像よりも物体側に配置され、前記物体からの光の波面に空間的な乱れを付与する第１の位相変調素子と、該第１の位相変調素子との間に少なくとも１つの中間像を挟む位置に配置され、前記第１の位相変調素子により前記物体からの光の波面に付与された空間的な乱れを打ち消す第２の位相変調素子とを備え、前記位相変調素子における空間的な乱れと該乱れの打ち消しを調整または増大する構成を有することを特徴とする結像光学系のための位相変調素子である。【００２２】
本参考例によれば、結像レンズの物体側から入射された光は結像レンズによって集光されることにより最終像を結像する。この場合において、中間像の一つよりも物体側に配置された第１の位相変調素子を通過することにより、光の波面に空間的な乱れが付与され、結像される中間像はぼやける。また、中間像を結像した光は第２の位相変調素子を通過することにより、第１の位相変調素子によって付与された波面の空間的な乱れが打ち消される。これにより、第２の位相変調素子以降においてなされる最終像の結像においては、鮮明な像を得ることができる。特に、走査系により、結像光学系を通過する光は上記の空間変調状態を保ったままＺ軸上を中間像が移動し、Ｚ軸走査中に結像光学系のどのレンズについても中間像がぼやけたまま通過する。【００２３】
すなわち、中間像をぼやけさせることにより、中間像位置に何らかの光学素子が配置されて、該光学素子の表面や内部に傷、異物あるいは欠陥等が存在していてもそれらが中間像に重なって、最終的に最終像の一部として形成されてしまう不都合の発生を防止することができる。また、顕微鏡光学系に適用される場合には、フォーカシング等によりＺ軸上での移動した中間像がその前後に位置していたレンズに重なったとしても、レンズの表面の傷や異物あるいはレンズ内の欠陥等が最終的な像に映りこむようなノイズ画像を生じない。【００２４】
上記第１の参考例においては、前記第１の位相変調素子および前記第２の位相変調素子が、前記結像レンズの瞳位置近傍に配置されていてもよい。
このようにすることで、光束の変動しない瞳位置近傍に配置して第１の位相変調素子および第２の位相変調素子を小型化することができる。【００２５】
上記第１の参考例においては、いずれかの前記中間像を挟む位置に配置される２つの前記結像レンズ間の光路長を変更可能な光路長可変手段を備えていてもよい。
このようにすることで、光路長可変手段の作動により、２つの結像レンズ間の光路長を変更することにより、最終像の結像位置を光軸方向に容易に変更することができる。【００２６】
上記第１の参考例においては、前記光路長可変手段が、光軸に直交して配置され前記中間像を形成する光を折り返すように反射する平面鏡と、該平面鏡を光軸方向に移動させるアクチュエータと、前記平面鏡により反射された光を２方向に分岐するビームスプリッタとを備えていてもよい。
このようにすることで、物体側の結像レンズにより集光された物体側からの光が平面鏡によって反射されて折り返された後、ビームスプリッタによって分岐されて像側の結像レ
ンズに入射される。この場合において、アクチュエータを作動させて平面鏡を光軸方向に移動させることにより、２つの結像レンズ間の光路長を容易に変更することができ、最終像の結像位置を光軸方向に容易に変更することができる。【００２７】
上記第１の参考例においては、いずれかの前記結像レンズの瞳位置近傍に、光の波面に付与する空間的な位相変調を変更することにより、前記最終像位置を光軸方向に変化させる可変空間位相変調素子を備えていてもよい。
このようにすることで、可変空間位相変調素子によって最終像位置を光軸方向に変化させるような空間的な位相変調を光の波面に付与することができ、付与する位相変調を調節することにより最終像の結像位置を光軸方向に容易に変更することができる。【００２８】
上記第１の参考例においては、前記第１の位相変調素子または前記第２の位相変調素子の少なくとも一方の機能が、前記可変空間位相変調素子によって担われていてもよい。
このようにすることで、可変空間位相変調素子に最終像位置を光軸方向に変化させるような空間的な位相変調と、中間像をぼやけさせるような位相変調あるいは中間像のぼやけを打ち消すような位相変調との両方を受け持たせることができる。これにより、構成部品を少なくして簡易な結像光学系を構成することができる。【００２９】
上記第１の参考例においては、前記第１の位相変調素子および前記第２の位相変調素子が、光軸に直交する１次元方向に変化する位相変調を光の波面に付与してもよい。
このようにすることで、第１の位相変調素子により光軸に直交する１次元方向に変化する位相変調を光の波面に付与して、中間像をぼやけさせることができ、中間像位置に何らかの光学素子が配置されて、該光学素子の表面や内部に傷、異物あるいは欠陥等が存在していてもそれらが中間像に重なって、最終的に最終像の一部として形成されてしまう不都合の発生を防止することができる。また、１次元方向に変化した位相変調を打ち消すような位相変調を第２の位相変調素子により光の波面に付与して、ぼやけない鮮明な最終像を結像させることができる。【００３０】
上記第１の参考例においては、前記第１の位相変調素子および前記第２の位相変調素子が、光軸に直交する２次元方向に変化する位相変調を光束の波面に付与してもよい。
このようにすることで、第１の位相変調素子により光軸に直交する２次元方向に変化する位相変調を光の波面に付与して、中間像をより確実にぼやけさせることができる。また、２次元方向に変化した位相変調を打ち消すような位相変調を第２の位相変調素子により光の波面に付与して、より鮮明な最終像を結像させることができる。【００３１】
上記第１の参考例においては、前記第１の位相変調素子および前記第２の位相変調素子が、光を透過させる際に波面に位相変調を付与する透過型素子であってもよい。
上記第１の参考例においては、前記第１の位相変調素子および前記第２の位相変調素子が、光を反射させる際に波面に位相変調を付与する反射型素子であってもよい。【００３２】
上記第１の参考例においては、前記第１の位相変調素子と前記第２の位相変調素子とが、相補的な形状を有していてもよい。
このようにすることで、中間像をぼやけさせる空間的な乱れを波面に付与する第１の位相変調素子と、波面に付与された空間的な乱れを打ち消すような位相変調を付与する第２の位相変調素子とを簡易に構成することができる。【００３３】
上記第１の参考例においては、前記第１の位相変調素子および前記第２の位相変調素子が、透明材料の屈折率分布によって波面に位相変調を付与してもよい。
このようにすることで、第１の位相変調素子を光が透過する際に屈折率分布に従う波面の乱れを生じさせ、第２の位相変調素子を光が透過する際に屈折率分布によって波面の乱れを打ち消すような位相変調を光の波面に付与することができる。【００３４】
本発明の第２の参考例は、上記第１の参考例に係る結像光学系と、該結像光学系の物体側に配置され、該結像光学系に入射させる照明光を発生する光源とを備える照明装置である。
本参考例によれば、物体側に配置された光源から発せられた照明光が結像光学系に入射されることにより、最終像側に配置された照明対象物に照明光を照射することができる。この場合に、第１の位相変調素子によって、結像光学系により形成される中間像がぼやけさせられるので、中間像位置に何らかの光学素子が配置されて、該光学素子の表面や内部に傷、異物あるいは欠陥等が存在していてもそれらが中間像に重なって、最終的に最終像の一部として形成されてしまう不都合の発生を防止することができる。【００３５】
本発明の第３の参考例は、上記第１の参考例に係る結像光学系と、該結像光学系の最終像側に配置され、観察対象物から発せられた光を検出する光検出器とを備える観察装置を提供する。
本参考例によれば、結像光学系により、光学素子の表面や内部に傷、異物あるいは欠陥等の像が中間像に重なることが防止されることによって形成された鮮明な最終像を光検出器によって検出することができる。【００３６】
上記第３の参考例においては、前記光検出器が、前記結像光学系の最終像位置に配置され、該最終像を撮影する撮像素子であってもよい。
このようにすることで、結像光学系の最終像位置に配置された撮像素子により、鮮明な最終像を撮影して、精度の高い観察を行うことができる。【００３７】
本発明の第４の参考例は、上記第１の参考例に係る結像光学系と、該結像光学系の物体側に配置され、該結像光学系に入射させる照明光を発生する光源と、前記結像光学系の最終像側に配置され、観察対象物から発せられた光を検出する光検出器とを備える観察装置である。
本参考例によれば、光源からの光が結像光学系によって集光されて観察対象物に照射され、観察対象物において発生した光が最終像側に配置された光検出器により検出される。これにより、中間の光学素子の表面や内部に傷、異物あるいは欠陥等の像が中間像に重なることが防止されることによって形成された鮮明な最終像を光検出器によって検出することができる。【００３８】
上記第４の参考例においては、前記光源および前記光検出器と前記結像光学系との間に配置されたニポウディスク型コンフォーカル光学系を備えていてもよい。
このようにすることで、観察対象物に多点のスポット光を走査させて観察対象物の鮮明な画像を高速に取得することができる。【００３９】
上記第４の参考例においては、前記光源がレーザ光源であり、前記光検出器が共焦点ピンホールおよび光電変換素子を備えていてもよい。
このようにすることで、中間像位置における傷や異物や欠陥等の像の写り込みのない、鮮明な共焦点画像による観察対象物の観察を行うことができる。【００４０】
本発明の第５の参考例は、上記照明装置と、該照明装置によって照明された観察対象物から発せられた光を検出する光検出器とを備え、前記光源がパルスレーザ光源である観察装置である。
このようにすることで、中間像位置における傷や異物や欠陥等の像の写り込みのない、鮮明な多光子励起画像による観察対象物の観察を行うことができる。
【発明の効果】
【００４１】
本発明によれば、中間像が光学素子に一致する位置で結像されても、中間像に光学素子の傷、異物および欠陥等が重なることを防止して鮮明な最終像を取得することができ、さらに、位相変調素子を改良することで、より鮮明な最終像の取得を可能であり、かつ、製造が容易であるという効果を奏する。
【図面の簡単な説明】
【００４２】
【図１】本発明の一実施形態に係る結像光学系を示す模式図である。
【図２】図１の結像光学系における中間像の不鮮明化および最終像の鮮明化を説明する図である。
【図３】図１および図２の結像光学系の作用を説明する模式図である。
【図４】図３の物体側の瞳位置から波面回復素子までを示す拡大図である。
【図５】従来の顕微鏡装置に用いられる結像光学系を示す模式図である。
【図６】図１の結像光学系における波面錯乱素子および波面回復素子の他の例を示す模式図である。
【図７】図１の結像光学系における波面錯乱素子および波面回復素子の他の例を示す模式図である。
【図８】図１の結像光学系における波面錯乱素子および波面回復素子の他の例を示す模式図である。
【図９】本発明の第１の実施形態に係る観察装置を示す模式図である。
【図１０】本発明の第２の実施形態に係る観察装置を示す模式図である。
【図１１】本発明の第３の実施形態に係る観察装置を示す模式図である。
【図１２】図１１の観察装置の変形例を示す模式図である。
【図１３】図１２の観察装置の第１の変形例を示す模式図である。
【図１４】図１３の観察装置のさらなる変形例を示す模式図である。
【図１５】図１２の観察装置の第２の変形例を示す模式図である。
【図１６】図１２の観察装置の第３の変形例を示す模式図である。
【図１７】本発明の参考実施形態に係る結像光学系および観察装置に使用される位相変調素子の一例としてのシリンドリカルレンズを示す斜視図である。
【図１８】図１７のシリンドリカルレンズを用いた場合の作用を説明する模式図である。
【図１９】図１８の説明に使用するガウス光学に基づく位相変調量と光学パワーの関係を説明する図である。
【図２０】本発明の参考実施形態に係る結像光学系および観察装置に使用される位相変調素子の他の例としてのバイナリ回折格子を示す斜視図である。
【図２１】本発明の参考実施形態に係る結像光学系および観察装置に使用される位相変調素子の他の例としての１次元正弦波回折格子を示す斜視図である。
【図２２】本発明の参考実施形態に係る結像光学系および観察装置に使用される位相変調素子の他の例としての自由曲面レンズを示す斜視図である。
【図２３】本発明の参考実施形態に係る結像光学系および観察装置に使用される位相変調素子の他の例としてのコーンレンズを示す縦断面図である。
【図２４】本発明の参考実施形態に係る結像光学系および観察装置に使用される位相変調素子の他の例としての同心円型バイナリ回折格子を示す斜視図である。
【図２５】位相変調素子として回折格子を用いた場合の光軸に沿う光線の作用を説明する模式図である。
【図２６】位相変調素子として回折格子を用いた場合の軸上光線の作用を説明する模式図である。
【図２７】波面錯乱素子として機能する回折格子の作用を説明する中央部の詳細図である。
【図２８】波面回復素子として機能する回折格子の作用を説明する中央部の詳細図である。
【図２９】本発明の参考実施形態に係る結像光学系および観察装置に使用される位相変調素子の他の例としての球面収差素子を示す縦断面図である。
【図３０】本発明の参考実施形態に係る結像光学系および観察装置に使用される位相変調素子の他の例としての不規則形状素子を示す縦断面図である。
【図３１】本発明の参考実施形態に係る結像光学系および観察装置に使用される位相変調素子の他の例としての反射型の位相変調素子を示す模式図である。
【図３２】本発明の参考実施形態に係る結像光学系および観察装置に使用される位相変調素子の他の例としての屈折率分布型素子を示す模式図である。
【図３３】本発明の結像光学系を内視鏡的用途でもって顕微鏡的に拡大観察するための装置に適用する場合のレンズ配列の一例を示す図である。
【図３４】本発明の結像光学系を、インナーフォーカス機能付き内視鏡型細径対物レンズを備えた顕微鏡に適用する場合のレンズ配列の一例を示す図である。
【発明を実施するための形態】
【００４３】
本発明の顕微鏡装置に用いられる結像光学系１の一実施形態について、図面を参照して以下に説明する。
本実施形態に係る結像光学系１は、図１に示されるように、間隔をあけて配置された２つ１組の結像レンズ２，３と、これらの結像レンズ２，３の中間結像面に配置されたフィールドレンズ４と、物体Ｏ側の結像レンズ２の瞳位置ＰＰＯ近傍に配置された波面錯乱素子（第１の位相変調素子）５と、像Ｉ側の結像レンズ３の瞳位置ＰＰＩ近傍に配置された波面回復素子（第２の位相変調素子）６とを備えている。図中、符号７は開口絞りであり、符号Ｑは結像光学系１の光軸である。
【００４４】
波面錯乱素子５は、水晶等の複屈折媒質から形成された一対のプリズム５ａ，５ｂを接合してなる単一のウォラストンプリズム（プリズム）５Ａから構成されている。物体Ｏ側の第１のプリズム５ａおよび像Ｉ側の第２のプリズム５ｂは、光学軸が光軸Ｑに直交するように、かつ、光学軸が互いに直交するように、配置されている。以下、光軸Ｑ方向をＺ方向、第１のプリズム５ａの光学軸方向をＸ方向、第２のプリズム５ｂの光学軸方向をＹ方向と定義する。
【００４５】
波面回復素子６は、水晶等の複屈折媒質から形成された一対のプリズム６ａ，６ｂを接合してなる単一のウォラストンプリズム（プリズム）６Ａから構成されている。プリズム６ａ，６ｂは、プリズム５ａ，５ｂと同一の複屈折媒質から形成され、プリズム５ａ，５ｂと同一の形状を有することが好ましい。物体Ｏ側の第１のプリズム６ａおよび像Ｉ側の第２のプリズム６ｂは、光学軸が光軸Ｑに直交するように、かつ、光学軸が互いに直交するように、配置されている。
【００４６】
さらに、ウォラストンプリズム６Ａは、フィールドレンズ４に対してウォラストンプリズム５Ａとは対称となるように配置されている。すなわち、第１のプリズム６ａの光学軸が第２のプリズム５ｂの光学軸と平行となり、第２のプリズム６ｂの光学軸が第１のプリズム５ａの光学軸と平行となるように、ウォラストンプリズム６Ａは配置されている。また、ウォラストンプリズム５Ａおよびウォラストンプリズム６Ａは、後述するように、フィールドレンズ４による結像に関して、互いに共役な位置関係に配置されている。
【００４７】
ウォラストンプリズム５Ａは、物体Ｏから発せられ物体Ｏ側の結像レンズ２により集光された光を透過させる際に波面に乱れを付与するようになっている。ウォラストンプリズム５Ａによって波面に乱れを付与することにより、フィールドレンズ４に結像される中間像が不鮮明化されるようになっている。
【００４８】
具体的には、結像レンズ２からウォラストンプリズム５Ａに入射した単一の光線は、図２に示されるように、ウォラストンプリズム５Ａによって複屈折されることによりＸ方向に直線偏向した光線とＹ方向に直線偏向した光線とに分割され、ウォラストンプリズム５Ａからは２つの光線が互いに異なる角度で射出される。その結果、単一の光線は、中間結像面において、光軸Ｑに直交する方向に配列する２つの位置Ａ，Ｂに分離される。図同様に、プリズム５Ａに入射した全ての光線が中間結像面において位置Ａ，Ｂに分離される。これにより、中間結像面には、結像レンズ２による中間像ＩＩとして、２つの位置Ａ，Ｂに形成された２個の集光点からなる中間像ＩＩＡ，ＩＩＢが形成される。このように、中間像ＩＩが２つの位置Ａ，Ｂに分離することによって、中間像ＩＩが不鮮明化されるようになっている。
【００４９】
一方、ウォラストンプリズム６Ａは、フィールドレンズ４により集光された光を透過させる際に、ウォラストンプリズム５Ａによって付与された波面の乱れを打ち消すような位相変調を光に付与するようになっている。ウォラストンプリズム６Ａは、ウォラストンプリズム５Ａとは逆の位相特性を有し、波面の乱れを打ち消すことによって、鮮明な最終像Ｉを結像させるようになっている。
【００５０】
具体的には、ウォラストンプリズム６Ａは、中間結像面における２個の集光点ＩＩＡ，ＩＩＢからの２つの光を透過させる際に、該２つの光を１つに合成し、合成された単一の光を結像レンズ３へ射出する。これにより、中間結像面において２つに分離された中間像ＩＩＡ，ＩＩＢが、結像レンズ３の結像面（最終結像面）においては１つに復元され、ウォラストンプリズム５Ａによって変調された光の波面が最終結像面において復調されるようになっている。
【００５１】
本実施形態に係る結像光学系１の、より一般的な概念について詳細に説明する。
図３に示される例では、結像光学系１は、物体Ｏ側および像Ｉ側に関してテレセントリックな配置になっている。また、波面錯乱素子５はフィールドレンズ４から物体Ｏ側に距離ａＦだけ離れた位置に配置され、波面回復素子６はフィールドレンズ４から像Ｉ側に距離ｂＦだけ離れた位置に配置されている。
【００５２】
図３において、符号ｆｏは結像レンズ２の焦点距離、符号ｆＩは結像レンズ３の焦点距離、符号ＦＯ，ＦＯ’は結像レンズ２の焦点位置、符号ＦＩ，ＦＩ’は結像レンズ３の焦点位置、符号ＩＩ０，ＩＩＡ，ＩＩＢは中間像である。
【００５３】
ここで、波面錯乱素子５は必ずしも結像レンズ２の瞳位置ＰＰＯ近傍に配置されている必要はなく、波面回復素子６も必ずしも結像レンズ３の瞳位置ＰＰＩ近傍に配置されている必要はない。
ただし、波面錯乱素子５と波面回復素子６は、フィールドレンズ４による結像に関して、式（１）に示されるように、互いに共役な位置関係に配置されている必要がある。
【００５４】
１／ｆＦ＝１／ａＦ＋１／ｂＦ        （１）
ここで、ｆＦはフィールドレンズ４の焦点距離である。
【００５５】
図４は、図３の物体Ｏ側の瞳位置ＰＰＯから波面回復素子６までを詳細に示す図である。
ここで、ΔＬは、光が光学素子を透過することによって付与される、特定の位置（すなわち光線高さ）を透過する光線を基準とした、位相の進み量である。
【００５６】
また、ΔＬo（ｘo）は、光が波面錯乱素子５の光軸上（ｘ＝０）を通過する場合を基準とした、波面錯乱素子５の任意の光線高さｘＯを通過する場合の位相の進み量を与える関数である。
さらに、ΔＬＩ（ｘＩ）は、光が波面回復素子６の光軸上（ｘ＝０）を通過する場合を基準とした、波面回復素子６の任意の光線高さｘｉを通過する場合の位相の進み量を与える関数である。
【００５７】
ΔＬＯ（ｘＯ）とΔＬＩ（ｘＩ）は、下式（２）を満たしている。
ΔＬＯ（ｘＯ）＋ΔＬＩ（ｘＩ）＝ΔＬＯ（ｘＯ）＋ΔＬＩ（βＦ・ｘＯ）＝０      （２）
ここで、βＦは、フィールドレンズ４による波面錯乱素子５と波面回復素子６の共役関係における横倍率であり、下式（３）により表される。
βＦ＝−ｂＦ／ａＦ        （３）
【００５８】
このような結像光学系１に１本の光線Ｒが入射し、波面錯乱素子５上の位置ｘＯを通過すると、そこで、ΔＬＯ（ｘＯ）の位相変調を受け、屈折、回折、散乱等による錯乱光線Ｒｃを生じる。錯乱光線Ｒｃは、光線Ｒの位相変調を受けなかった成分とともに、フィールドレンズ４によって波面回復素子６上の位置ｘＩ＝βＦ・ｘＯに投影される。投影された光線は位置ｘＩを通過することにより、ΔＬＩ（βＦ・ｘＯ）＝−ΔＬＯ（ｘＯ）の位相変調を受け、波面錯乱素子５によって受けた位相変調が打ち消される。これにより、波面の乱れのない１本の光線Ｒ’に戻る。
【００５９】
波面錯乱素子５と波面回復素子６が共役な位置関係にあり、かつ式（２）の特性を有する場合には、波面錯乱素子５上の１つの位置を経て位相変調を受けた光線は、その位置と一対一対応し、かつ波面錯乱素子５から受けた位相変調を打ち消すような位相変調を付与する波面回復素子６の特定の位置を必ず通過する。図３および図４に示される光学系は、光線Ｒに対して、波面錯乱素子５における光線Ｒの入射位置ｘＯや入射角に関わりなく、上記のように作用する。すなわち、あらゆる光線Ｒに関して、中間像ＩＩを不鮮明化し、かつ最終像Ｉを鮮明に結像させることができる。
【００６０】
図５に、従来の結像光学系を示す。この結像光学系によれば、物体Ｏ側の結像レンズ２によって集光された光は中間結像面に配置されるフィールドレンズ４において鮮明な中間像ＩＩを形成した後、像Ｉ側の結像レンズ３によって集光されて鮮明な最終像Ｉを形成する。
【００６１】
従来の結像光学系では、フィールドレンズ４の表面に傷や塵埃等があったり、フィールドレンズ４の内部に空洞等の欠陥があったりした場合に、フィールドレンズ４に鮮明に形成された中間像にこれらの異物の像が重なってしまい、最終像Ｉにも異物の像が形成されてしまうという問題が発生する。
【００６２】
これに対し、本実施形態に係る結像光学系１によれば、フィールドレンズ４に一致する位置に配置される中間結像面には、波面錯乱素子５によって不鮮明化された中間像ＩＩが結像されるので、中間像ＩＩに重なった異物の像は、波面回復素子６によって位相変調を受けて不鮮明な中間像ＩＩが鮮明化される際に同じ位相変調によって不鮮明化される。したがって、鮮明な最終像Ｉに中間結像面の異物の像が重なることを防止することができる。
【００６３】
この場合において、波面錯乱素子５および波面回復素子６を構成するウォラストンプリズム５Ａ，６Ａは、外表面が平坦面のみからなるプリズム５ａ，５ｂ，６ａ，６ｂの組み合わせから構成されているので、研磨加工が容易である。したがって、ウォラストンプリズム５Ａ，６Ａを用いることで、中間像ＩＩＡ，ＩＩＢを不鮮明化する手段として、外表面形状が複雑なマイクロレンズアレイやレンチキュラーレンズを用いた場合と比べて、製造が容易であり、製造コストを低減することができる。
【００６４】
なお、上記説明においては、２つの結像レンズ２，３をそれぞれテレセントリックな配置として説明したが、これに限定されるものではなく、非テレセントリック系であっても同様に作用する。
また、位相進み量の関数を１次元的な関数としたが、これに代えて、２次元的な関数としても同様に作用し得る。
【００６５】
また、結像レンズ２と波面錯乱素子５とフィールドレンズ４の間の空間、およびフィールドレンズ４と波面回復素子６と結像レンズ３の間の空間は、必ずしも必要でなく、これらの素子の間は光学的に接合されていてもよい。
【００６６】
また、結像光学系１をなす各レンズ、すなわち、結像レンズ２，３およびフィールドレンズ４の各々が結像と瞳リレーの機能を明確に分担する構成としたが、実際の結像光学系においては、１つのレンズが結像と瞳リレーの両機能を同時に有するような構成も用いられている。このような場合においても、上記条件が満たされる場合には、波面錯乱素子５は波面に乱れを付与して中間像ＩＩを不鮮明化し、波面回復素子６は波面の乱れを打ち消して最終像Ｉを鮮明化することができる。
【００６７】
本実施形態は以下のように変形することができる。
本実施形態においては、波面錯乱素子５および波面回復素子６の各々が、ウォラストンプリズム５Ａ，６Ａを１つのみ備えることとしたが、これに代えて、図６および図７に示されるように、複数個のウォラストンプリズムと、該複数個のウォラストンプリズムの間に配置された４分の１波長板を備えていてもよい。
【００６８】
図６および図７には、一例として、波面錯乱素子５が、２個のウォラストンプリズム５Ａ，５Ｂと、該２個のウォラストンプリズム５Ａ，５Ｂの間に配置された単一の４分の１波長板９とを備え、波面回復素子６が、２個のウォラストンプリズム６Ａ，６Ｂと、該２個のウォラストンプリズム６Ａ，６Ｂの間に配置された単一の４分の１波長板９とを備えた構成が示されている。ウォラストンプリズム５Ａ，５Ｂと４分の１波長板９、および、ウォラストンプリズム６Ａ，６Ｂと４分の１波長板９は、図６に示されるように、互いに接合されていてもよく、図７に示されるように、光軸Ｑ方向に間隔を空けて配置されていてもよい。図７においては、レンズ２，３，４の図示を省略している。
【００６９】
本変形例の作用について、図７を参照して説明すると、波面錯乱素子５に入射した光は、第１のウォラストンプリズム５Ａによって２つの直線偏光に分割され、該２つの直線偏光はそれぞれ、４分の１波長板９によってそれぞれ円偏光に変換される。円偏光は、第２のウォラストンプリズム５Ｂによって、２つの直線偏光に分割され、円偏光は、第２のウォラストンプリズム５Ｂによって、２つの直線偏光に分割される。これにより、中間結像面には、光軸Ｑに交差する方向に間隔を空けて１列に配列する４個の位置Ａ，Ｂ，Ｃ，Ｄに中間像として集光点ＩＩＡ，ＩＩＢ，ＩＩＣ，ＩＩＤが形成される。
【００７０】
ここで、ウォラストンプリズム５Ａ，５Ｂ，６Ａ，６Ｂの光軸Ｑ方向の厚さに応じて、該ウォラストンプリズム５Ａ，５Ｂ，６Ａ，６Ｂから射出される２つの光線の成す角度が変化する。したがって、各ウォラストンプリズム５Ａ，５Ｂ，６Ａ，６Ｂの厚さに応じて中間結像面における集光点ＩＩＡ，ＩＩＢ，ＩＩＣ，ＩＩＤの間隔を変更することができる。
【００７１】
ウォラストンプリズム５Ａ，５Ｂの数が１つ増加する毎に、波面錯乱素子５による光の分割数が２倍に増加し、中間結像面に形成される集光点ＩＩＡ，ＩＩＢ，ＩＩＣ，ＩＩＤの数も２倍に増加する。したがって、波面錯乱素子５を構成するプリズム５Ａ，５Ｂの数を増加することによって、中間像ＩＩの不鮮明化効果をさらに高めることができる。
【００７２】
図６および図７に示される変形例においては、波面錯乱素子５が、４分の１波長板９を備えることに代えて、図８に示されるように、物体Ｏ側の第１のウォラストンプリズム５Ａの２つの光学軸に対して像Ｉ側の第２のウォラストンプリズム５Ｂの２つの光学軸がねじれの関係となるように、第１のウォラストンプリズム５Ａに対して第２のウォラストンプリズム５Ｂが、光軸Ｑ回りに傾いて配置されていてもよい。フィールドレンズ４に対して波面錯乱素子５と波面回復素子６とが光学的に対称となるように、波面回復素子６も、像側の第２のウォラストンプリズム６Ｂに対して第１のウォラストンプリズム６Ａが、光軸Ｑ回りに傾いて配置される。このようにしても、第１のウォラストンプリズム５Ａによって分割された２つの直線偏光の各々が、第２のウォラストンプリズム５Ｂによってさらに２つに分割されることにより、中間像ＩＩを４個の集光点ＩＩＡ，ＩＩＢ，ＩＩＣ，ＩＩＤに分離することができる。
【００７３】
ただし、図８の変形例において、４個の集光点ＩＩＡ，ＩＩＢ，ＩＩＣ，ＩＩＤは、１列ではなく、平行四辺形の４個の頂点を形成するように、光軸Ｑに直交する平面上において２次元的に配列される。このときの４個の集光点ＩＩＡ，ＩＩＢ，ＩＩＣ，ＩＩＤの２次元的な配列は、第１のウォラストンプリズム５Ａに対する第２のウォラストンプリズム５Ｂの光軸Ｑ回りの傾き角度に応じて変化する。したがって、本例によれば、中間結像面における集光点ＩＩＡ，ＩＩＢ，ＩＩＣ，ＩＩＤの配列の自由度を向上することができる。
【００７４】
また、本実施形態においては、波面錯乱素子５および波面回復素子６を構成するプリズムとして、ウォラストンプリズム５Ａ，５Ｂ，６Ａ，６Ｂを使用することとしたが、これに代えて、他の種類の複屈折性を有するプリズム、例えばローションプリズムを使用してもよい。
【００７５】
次に、本発明の第１の実施形態に係る観察装置１０について、図面を参照して以下に説明する。
本実施形態に係る観察装置１０は、図９に示されるように、非コヒーレントな照明光を発生する光源１１と、光源１１からの照明光を観察対象物Ａに照射する照明光学系１２と、観察対象物Ａからの光を集光する結像光学系１３と、該結像光学系１３により集光された光を撮影して画像を取得する撮像素子（光検出器）１４とを備えている。
【００７６】
照明光学系１２は、光源１１からの照明光を集光する集光レンズ１５ａ，１５ｂと、該集光レンズ１５ａ，１５ｂにより集光された照明光を観察対象物Ａに照射する対物レンズ１６とを備えている。
また、この照明光学系１２は、いわゆるケーラー照明であり、集光レンズ１５ａ，１５ｂは、光源１１の発光面と対物レンズ１６の瞳面とが互いに共役になるように配置されている。
【００７７】
結像光学系１３は、物体側に配置された観察対象物Ａから発せられた観察光（例えば、反射光）を集光する上記対物レンズ（結像レンズ）１６と、該対物レンズ１６により集光された観察光の波面に乱れを付与する波面錯乱素子（第１の位相変調素子）１７と、波面に乱れを付与された光を光源１１からの照明光路から分岐させる第１のビームスプリッタ１８と、光軸方向に間隔を明けて配置された第１の中間結像レンズ対１９と、該第１の中間結像レンズ対１９の各レンズ１９ａ，１９ｂを通過した光を９０°偏向する第２のビームスプリッタ２０と、該第２のビームスプリッタ２０により偏向された光を集光して中間像を結像させる第２の中間結像レンズ２１と、該第２の中間結像レンズ２１による中間結像面に配置された光路長可変手段２２と、光路長可変手段２２により戻されて中間結像レンズ２１および第２のビームスプリッタ２０を透過した光を集光して中間像を結像させる中間結像レンズ対２４と、中間結像レンズ対２４の各レンズ２４ａ，２４ｂを通過した光を集光して最終像を結像させる結像レンズ２５と、中間結像レンズ対２４と結像レンズ２５との間に配置された波面回復素子（第２の位相変調素子）２３とを備えている。
【００７８】
撮像素子１４は、例えば、ＣＣＤあるいはＣＭＯＳのような２次元のイメージセンサである。撮像素子１４は、結像レンズ２５による最終像の結像位置に配置された撮像面１４ａを備え、撮像面１４に入射する光を撮影することにより観察対象物Ａの２次元的な画像を取得することができるようになっている。
【００７９】
波面錯乱素子１７は、対物レンズ１６の瞳位置近傍に配置されている。波面錯乱素子１７は、上述した波面錯乱素子５のいずれかであり、複屈折媒質により構成されている。したがって、波面錯乱素子１７は、光が透過する際に、複屈折媒質が有する複屈折性によって光の波面を変調する。本実施形態においては、観察対象物Ａからの観察光を透過させることにより、必要な波面の乱れを付与するようになっている。
波面回復素子２３は、上述した波面回復素子６のいずれかであり、複屈折媒質により構成されている。したがって、波面回復素子２３は、光が透過する際に、複屈折媒質が有する複屈折性によって光の波面を変調する。
【００８０】
これら波面錯乱素子１７および波面回復素子２３は、上述した波面錯乱素子５および波面回復素子６と同様に、複屈折媒質の複屈折性により、互いに相補的な位相変調を光の波面に付与することができるようになっている。したがって、波面回復素子２３は、光路長可変手段２２により折り返すように反射された観察光を透過させることにより、波面錯乱素子１７により付与された波面の乱れを打ち消すような位相変調を光の波面に与えるようになっている。
【００８１】
光軸（Ｚ軸）走査系としての光路長可変手段２２は、光軸に直交して配置された平面鏡２２ａと、該平面鏡２２ａを光軸方向に変位させるアクチュエータ２２ｂとを備えている。光路長可変手段２２のアクチュエータ２２ｂの作動により、平面鏡２２ａを光軸方向に変位させると、第２の中間結像レンズ２１と平面鏡２２ａとの間の光路長が変化させられ、それによって、観察対象物Ａにおける、撮像面１４ａと共役な位置、すなわち、対物レンズ１６の前方の合焦点位置が、光軸方向に変化させられるようになっている。
【００８２】
このように構成された本実施形態に係る観察装置１０を用いて観察対象物Ａの観察を行うには、光源１１からの照明光を照明光学系１２によって観察対象物Ａに照射する。観察対象物Ａから発せられた観察光は対物レンズ１６によって集光され、波面錯乱素子１７を透過して第１のビームスプリッタ１８および中間結像光学系１９を通過し、第２のビームスプリッタ２０において、９０°偏向される。そして、観察光は、第２の中間結像レンズ２１を介して光路長可変手段２２の平面鏡２２ａによって折り返されるように反射され、ビームスプリッタ２０および中間結像レンズ対２４を介して波面回復素子２３を透過する。これにより、結像レンズ２５によって結像された最終像が撮像素子１４によって撮影される。
【００８３】
光路長可変手段２２のアクチュエータ２２ｂを作動させて、平面鏡２２ａを光軸方向に移動させることにより、第２の中間結像レンズ２１と平面鏡２２ａとの間の光路長を変化させることができる。これによって、対物レンズ１６の前方の合焦点位置を光軸方向に移動させ走査することができる。そして、異なる合焦点位置において観察光を撮影することにより、観察対象物Ａの奥行き方向に異なる位置に合焦させた複数の画像を取得することができる。さらに、これら複数の画像を加算平均によって合成した後、高域強調処理を施すことにより、被写界深度の深い画像を取得することができる。
【００８４】
この場合において、光路長可変手段２２の平面鏡２２ａ近傍には第２の中間結像レンズ２１による中間像が結像される。この中間像は、波面錯乱素子１７を透過することにより観察光に付与された波面の乱れによって、不鮮明化されている。そして、不鮮明化された中間像を結像した後の光は、第２の中間結像レンズ２１および中間結像レンズ対２４によって集光された後に、波面回復素子２３を通過させられることにより、波面の乱れが完全に打ち消される。
【００８５】
その結果、本実施形態に係る観察装置１０によれば、平面鏡２２ａの表面に傷や塵埃等の異物が存在していても、異物の像が最終像に重なって撮影されてしまうことを防止することができ、かつ、観察対象物Ａの鮮明な画像を得ることができるという利点がある。
また、同様にして、観察対象物Ａにおける合焦点位置を光軸方向に移動させると、第１の中間結像レンズ対１９によって形成される中間像も光軸方向に大きく変動するが、その変動の結果、中間像が第１の中間結像レンズ対１９の位置に重なったとしても、あるいはまた、その変動範囲内に何らかの他の光学素子が存在する場合であっても、中間像が不鮮明化されているので、異物の像が最終像に重なって撮影されてしまうことを防止することができる。本実施形態において、上述したような走査系を搭載した場合には、結像光学系に配置されるあらゆる光学素子上で、光がＺ軸移動してもノイズ画像を生じない。
【００８６】
次に、本発明の第２の実施形態に係る照明装置２８および観察装置３０について、図面を参照して以下に説明する。
本実施形態の説明において、上述した第１の実施形態に係る観察装置１０と構成を共通とする箇所には同一符号を付して説明を省略する。
【００８７】
本実施形態に係る観察装置３０は、図１０に示されるように、レーザ光源３１と、該レーザ光源３１からのレーザ光を観察対象物Ａに集光させる一方、観察対象物Ａからの光を集光する結像光学系３２とを備える照明装置２８と、結像光学系３２により集光された光を撮影する撮像素子（光検出器）３３と、光源３１および撮像素子３３と結像光学系３２との間に配置されたニポウディスク型コンフォーカル光学系３４とを備えている。
【００８８】
ニポウディスク型コンフォーカル光学系３４は、平行間隔をあけて配置される２枚のディスク３４ａ，３４ｂと、該ディスク３４ａ，３４ｂを同時に回転させるアクチュエータ３４ｃとを備えている。レーザ光源３１側のディスク３４ａには、マイクロレンズ（図示略）が多数配列されており、物体側のディスク３４ｂには、各マイクロレンズに対応する位置に多数のピンホール（図示略）が設けられている。また、２枚のディスク３４ａ，３４ｂの間の空間には、ピンホールを通過した光を分岐するダイクロイックミラー３４ｄが固定されている。ダイクロイックミラー３４ｄによって分岐された光は集光レンズ３５によって集光され、撮像素子３３の撮像面３３ａに最終像が結像されて、画像が取得されるようになっている。
【００８９】
結像光学系３２は、第１の実施形態における第１のビームスプリッタ１８と第２のビームスプリッタ２０とを共通化して単一のビームスプリッタ３６とし、ニポウディスク型コンフォーカル光学系３４のピンホールを通過した光を観察対象物Ａに照射するための光路と、観察対象物Ａにおいて発生し、ニポウディスク型コンフォーカル光学系３４のピンホールに入射するまでの光路とを完全に共通化している。
【００９０】
このように構成された本実施形態に係る観察装置３０の作用について、以下に説明する。
本実施形態に係る観察装置３０によれば、ニポウディスク型コンフォーカル光学系３４のピンホールから結像光学系２５、位相変調素子２３、中間結像レンズ対２４を介して結像光学系３２に入射した光は、ビームススプリッタ３６を透過した後に、第２の中間結像レンズ２１によって集光され、光路長可変手段２２の平面鏡２２ａによって折り返されるように反射される。そして、光は、第２の中間結像レンズ２１を通過した後にビームスプリッタ３６によって９０°偏向され、第１の中間結像レンズ対１９および位相変調素子１７を透過して対物レンズ１６により観察対象物Ａに集光される。
【００９１】
本実施形態においては、レーザ光が最初に透過する位相変調素子２３は、レーザ光の波面に乱れを付与する波面錯乱素子として機能し、その後に透過する位相変調素子１７は、位相変調素子２３により付与された波面の乱れを打ち消すような位相変調を付与する波面回復素子として機能する。
【００９２】
したがって、ニポウディスク型コンフォーカル光学系３４によって多数の点光源状に形成された光源の像は第２の中間結像レンズ２１によって平面鏡２２ａ上に中間像として結像されるが、第２の中間結像レンズ２１により形成される中間像は、位相変調素子２３を通過することにより不鮮明化されているので、中間結像面に存在する異物の像が、最終像に重なってしまう不都合を防止できる。
【００９３】
また、位相変調素子２３を透過することにより波面に付与された乱れは、位相変調素子１７を透過することにより打ち消されるので、観察対象物Ａに鮮明な多数の点光源の像を結像させることができる。そして、ニポウディスク型コンフォーカル光学系３４のアクチュエータ３４ｃの作動によりディスク３４ａ，３４ｂを回転させることにより、観察対象物Ａに結像している多数の点光源の像を光軸に交差するＸＹ方向に移動させ、高速走査を行うことができる。
【００９４】
一方、観察対象物Ａにおける点光源の像の結像位置において発生した光、例えば、蛍光は、対物レンズ１６により集光され、位相変調素子１７および第１の中間結像レンズ対１９を透過する。そして、光は、ビームスプリッタ３６によって９０°偏向されて、第２の中間結像レンズ２１によって集光され、平面鏡２２ａによって折り返されるように反射される。その後、光は、再度、第２の中間結像レンズ２１によって集光されてビームスプリッタ３６を透過する。そして、光は、結像レンズ２５により集光されて、ニポウディスク型コンフォーカル光学系３４のピンホール位置に結像される。
【００９５】
ピンホールを通過した光はダイクロイックミラー３４ｄによって、レーザ光源３１からの光路から分岐され、集光レンズ３５によって集光されて撮像素子３３の撮像面３３ａに最終像として結像される。この場合において、観察対象物において多数の点状に発生した蛍光が透過する位相変調素子１７は第１の実施形態と同様に波面錯乱素子として機能し、位相変調素子２３は波面回復素子として機能する。
【００９６】
したがって、位相変調素子１７を透過することにより波面に乱れが付与された蛍光は、平面鏡２２ａに不鮮明な中間像を結像する。そして、位相変調素子２３を透過することにより、波面の乱れが完全に打ち消された状態となった蛍光は、ニポウディスク型コンフォーカル光学系３４のピンホールに結像する。そして、光は、ピンホールを通過した後にダイクロイックミラー３４ｄによって分岐され、集光レンズ３５により集光されて撮像素子３３の撮像面３３ａに鮮明な最終像を結像する。
【００９７】
これにより、本実施形態に係る観察装置３０によれば、観察対象物Ａにレーザ光を照射する照明装置としても、観察対象物Ａにおいて発生した蛍光を撮影する観察装置としても、中間像を不鮮明化して中間結像面における異物の像が最終像に重なることを防止しつつ、鮮明な最終像を得ることができるという利点を有する。本実施形態において、上述したような走査系を搭載した場合には、結像光学系に配置されるあらゆる光学素子上で、光がＺ軸移動してもノイズ画像を生じない。
【００９８】
次に、本発明の第３の実施形態に係る照明装置３８および観察装置４０について、図面を参照して以下に説明する。
本実施形態の説明において、上述した第２の実施形態に係る観察装置３０と構成を共通とする箇所には同一符号を付して説明を省略する。
【００９９】
本実施形態に係る観察装置４０は、図１１に示されるように、レーザ走査型共焦点観察装置である。
この観察装置４０は、レーザ光源４１と、該レーザ光源４１からのレーザ光を観察対象物Ａに集光させる一方、観察対象物Ａからの光を集光する結像光学系４２とを備える照明装置３８と、結像光学系４２により集光された蛍光を通過させる共焦点ピンホール４３と、該共焦点ピンホール４３を通過した蛍光を検出する光検出器４４とを備えている。
【０１００】
結像光学系４２は、レーザ光のビーム径を拡大するビームエキスパンダー４５と、レーザ光を偏向し蛍光を透過するダイクロイックミラー４６と、対物レンズ１６の瞳と共役な位置の近傍に配置されたガルバノミラー４７と、第３の中間結像レンズ対４８とを第２の実施形態に係る観察装置３０とは異なる構成として備えている。また、レーザ光の波面に乱れを付与する位相変調素子２３をガルバノミラー４７の近傍に配置している。図中、符号４９はミラーである。
【０１０１】
このように構成された本実施形態に係る観察装置４０の作用について以下に説明する。  本実施形態に係る観察装置４０によれば、レーザ光源４１から発せられたレーザ光は、ビームエキスパンダー４５によってビーム径が拡大されてダイクロイックミラー４６により偏向され、ガルバノミラー４７によって２次元的に走査された後、位相変調素子２３および第３の中間結像レンズ対４８を通過してビームスプリッタ３６に入射する。ビームスプリッタ３６への入射後は、第２の実施形態に係る観察装置３０と同様である。
【０１０２】
すなわち、レーザ光は、位相変調素子２３によって波面に乱れを付与された後に、光路長可変手段２２の平面鏡２２ａに中間像を結像するので、中間像が不鮮明化されており、中間結像面に存在する異物の像が重なることを防止することができる。また、対物レンズ１６の瞳位置に配置された位相変調素子１７によって、波面の乱れが打ち消されるので、鮮明化された最終像を観察対象物Ａに結像させることができる。また、最終像の結像深さは、光路長可変手段２２によって任意に調節することができる。
【０１０３】
一方、観察対象物Ａにおけるレーザ光の最終像の結像位置において発生した蛍光は、対物レンズ１６によって集光され、位相変調素子１７を透過する。そして、蛍光は、レーザ光とは逆の光路を辿って、ビームスプリッタ３６により偏向され、第３の中間結像レンズ対４８、位相変調素子２３、ガルバノミラー４７およびダイクロイックミラー４６を通過した後に結像レンズ２４によって、共焦点ピンホール４３に集光される。そして、共焦点ピンホール４３を通過した蛍光のみが光検出器４４によって検出される。
【０１０４】
この場合においても、対物レンズ１６により集光された蛍光は、位相変調素子１７によって波面に乱れを付与された後に中間像を結像するので、中間像が不鮮明化され、中間結像面に存在する異物の像が重なることを防止することができる。そして、位相変調素子２３を透過することによって波面の乱れが打ち消されるので、鮮明化された像を共焦点ピンホール４３に結像させることができ、観察対象物Ａにおいてレーザ光の最終像の結像位置において発生した蛍光を効率よく検出することができる。その結果、高分解能の明るい共焦点画像を取得することができるという利点がある。本実施形態において、上述したような走査系を搭載した場合には、結像光学系に配置されるあらゆる光学素子上で、光がＺ軸移動してもノイズ画像を生じない。
【０１０５】
なお、本実施形態においては、レーザ走査型共焦点観察装置を例示したが、これに代えて、図１２に示されるようにレーザ走査型多光子励起観察装置に適用してもよい。
この場合、レーザ光源４１として、極短パルスレーザ光源を採用し、ガルバノミラー４７と結像レンズ２４との間にあるダイクロイックミラー４６を無くし、ミラー４９に代えて、ダイクロイックミラー４６を採用すればよい。
【０１０６】
図１２の観察装置５０においては、極短パルスレーザ光を観察対象物Ａに照射する照明装置の機能において、中間像を不鮮明化し、最終像を鮮明化することができる。観察対象物Ａにおいて発生した蛍光については、対物レンズ１６により集光され、位相変調素子１７およびダイクロイックミラー４６を透過した後に、中間像を結像することなく、集光レンズ５１によって集光されて、光検出器４４によりそのまま検出される。
【０１０７】
また、上記各実施形態においては、光路を折り返す平面鏡の移動により光路長を変化させる光路長可変手段２２により、対物レンズ１６の前方の合焦点位置を光軸方向に変化させることとした。これに代えて、光路長可変手段としては、図１３に示されるように、中間結像光学系６１を構成するレンズ６１ａ，６１ｂの一方のレンズ６１ａをアクチュエータ６２によって光軸方向に移動させることにより、光路長を変化させるものを採用した観察装置６０を構成してもよい。図中、符号６３は他の中間結像光学系である。
【０１０８】
また、図１４に示されるように、２次元の光スキャナを構成する２枚のガルバノミラー４７の間に、他の中間結像光学系８０を配置し、２つのガルバノミラー４７が位相変調素子１７，２３および対物レンズ１６の瞳に配置されている開口絞り８１に対して、精度よく光学的に共役な位置関係に配置されているように構成してもよい。
【０１０９】
また、光路長可変手段として、図１５に示されるように、反射型のＬＣＯＳのような空間光変調素子（ＳＬＭ）６４を採用してもよい。このようにすることで、ＬＣＯＳの液晶の制御によって高速に波面に与える位相変調を変化させ、対物レンズ１６の前方の合焦点位置を光軸方向に高速に変化させることができる。図中、符号５２は、ビームエキスパンダー４５によりビーム径が拡大されたレーザ光を集光して中間像を結像させる中間結像レンズ対であり、符号６５は、ミラーである。この場合、位相変調素子２３はビームエキスパンダー４５と中間結像レンズ対５２との間に配置し、位相変調素子１７はビームスプリッタ３６と対物レンズ１６との間に配置することとすればよい。
【０１１０】
また、反射型のＬＣＯＳのような空間光変調素子６４に代えて、図１６に示されるように、透過型のＬＣＯＳのような空間光変調素子６６を採用してもよい。反射型のＬＣＯＳと比較してミラー６５が不要となるので、構成を簡易化することができる。
【０１１１】
観察対象物Ａにおける合焦点位置を光軸方向に移動させる手段としては、上記各実施例に示したもの（光路長可変手段２２、あるいは中間結像光学系６１とアクチュエータ６２、あるいは反射型空間光変調素子６４、あるいは透過型空間光変調素子６６）の他にも、能動光学素子として知られるパワー可変光学素子が各種利用可能である。まず機械的可動部を有するものとして、形状可変鏡（ＤＦＭ：Ｄｅｆｏｒｍａｂｌｅ  Ｍｉｒｒｏｒ）、液体やゲルを用いた形状可変レンズがある。そして機械的可動部を持たない同様の素子として、電界により媒質の屈折率を制御する、、液晶レンズやタンタル酸ニオブ酸カリウム（ＫＴＮ：ＫＴａ１−ｘ  ＮｂｘＯ３）結晶レンズ、さらには音響光学偏向器（ＡＯＤ／Ａｃｏｕｓｔｏ−Ｏｐｔｉｃａｌ  Ｄｅｆｌｅｃｔｏｒ）におけるシリンドリカルレンズ効果を応用したレンズ、等がある。
【０１１２】
以上、本発明の顕微鏡としての実施形態は、いずれも観察対象物Ａにおける合焦点位置を光軸方向に移動させる何らかの手段を有する。さらに、これらの合焦点位置光軸方向移動手段は、同じ目的に対する従来の顕微鏡における手段（対物レンズか観察対象物かの何れかを光軸方向に移動させる）に比較して、駆動対象物の質量が小さい、あるいは応答速度の速い物理現象を利用している、という理由により、動作速度を大幅に高めることができる。
このことには、観察対象物（例えば、生きた生体組織標本）における、より高速な現象を検出し得る、という利点がある。
【０１１３】
本発明の参考実施形態においては、透過型あるいは反射型のＬＣＯＳのような空間光変調素子６４，６６を採用する場合には、位相変調素子２３の機能を空間光変調素子６４，６６に担わせることができる。このようにすることで、波面錯乱素子としての位相変調素子２３を省略でき、構成をさらに簡易化することができるという利点がある。
【０１１４】
また、上記例は、空間光変調素子とレーザ走査型多光子励起観察装置との組み合わせにおける、位相変調素子２３の省略であるが、これと同様にして、本発明の参考実施形態においては、空間光変調素子と、レーザ走査型共焦点観察装置との組み合わせにおいても、位相変調素子２３を省略することが可能である。すなわち、図１５，図１６において、ダイクロイックプリズム３６に代えてミラー４９を採用し、ビームエキスパンダー４５と空間光変調素子６４，６６との間にダイクロイックミラー４６を採用して分岐光路をなし、さらに結像レンズ２４、共焦点ピンホール４３、および光検出器４４を採用した上で、位相変調素子２３の機能を空間光変調素子６４，６６に担わせることができる。この場合の空間光変調素子６４，６６は、レーザ光源４１からのレーザ光に対しては、波面錯乱素子として波面に乱れを付与する一方で、観察対象物Ａからの蛍光に対しては、位相変調素子１７によって付与された波面の乱れを打ち消す波面回復素子として作用する。
【０１１５】
上記参考実施形態の位相変調素子としては、例えば、図１７に示されるような、シリンドリカルレンズ６８，６９を採用することにしてもよい。
この場合には、シリンドリカルレンズ６８によって中間像は非点収差によって点像が線状に伸ばされるので、この作用により、中間像を不鮮明化することができる。また、シリンドリカルレンズ６８と相補的な形状のシリンドリカルレンズ６９により、最終像を鮮明化することができる。
図１７の場合、凸レンズまたは凹レンズのいずれを波面錯乱素子として使用してもよいし、波面回復素子として使用してもよい。
【０１１６】
位相変調素子としてシリンドリカルレンズ５，６を用いる場合の作用について、以下に詳細に説明する。図１８は、図３および図４における位相変調素子としてシリンドリカルレンズ５，６を用いた例を示す。
【０１１７】
ここでは、特に、下記条件を設定する。
（ａ）  物体Ｏ側の位相変調素子（波面錯乱素子）５として、ｘ方向にパワーψＯｘを有するシリンドリカルレンズを用いる。
（ｂ）  像Ｉ側の位相変調素子（波面回復素子）６として、ｘ方向にパワーψＩｘを有するシリンドリカルレンズを用いる。
（ｃ）  ｘｚ平面上の軸上光線Ｒｘのシリンドリカルレンズ５における位置（光線高さ）をｘＯとする。
（ｄ）  ｘｚ平面上の軸上光線Ｒｘのシリンドリカルレンズ６における位置（光線高さ）をｘＩとする。
図１８において、符号ＩＩ０Ｘ，ＩＩ０Ｙは中間像である。
【０１１８】
この例における作用を説明する前に、ガウス光学に基づく位相変調量と光学パワーとの関係について、図１９を用いて説明する。
図１９において、高さ（光軸からの距離）ｘでのレンズの厚さをｄ（ｘ）、高さ０（光軸上）でのレンズの厚さをｄ０とすると、高さｘの光線に沿った入射側接平面から射出側接平面までの光路長Ｌ（ｘ）は次式（４）で表される。
Ｌ（ｘ）＝（ｄ０−ｄ（ｘ））＋ｎ・ｄ（ｘ）        （４）
【０１１９】
高さｘにおける光路長Ｌ（ｘ）と高さ０（光軸上）における光路長Ｌ（０）との差は、薄肉レンズとしての近似を用いると、次式（５）で表される。
Ｌ（ｘ）−Ｌ（０）＝（−ｘ２／２）（ｎ−１）（１／ｒ１−１／ｒ２）        （５）
【０１２０】
上記光路長差Ｌ（ｘ）−Ｌ（０）は、高さ０における射出光に対する、高さｘにおける射出光の位相進み量と、絶対値が等しく符号が逆である。したがって、上記位相進み量は、式（５）の符号を反転させた次式（６）で表される。
Ｌ（０）−Ｌ（ｘ）＝（ｘ２／２）（ｎ−１）（１／ｒ１−１／ｒ２）        （６）
【０１２１】
一方、この薄肉レンズの光学パワーψは、次式（７）で表される。
ψ＝１／ｆ＝（ｎ−１）（１／ｒ１−１／ｒ２）        （７）
【０１２２】
したがって、式（６）、（７）から位相進み量Ｌ（０）−Ｌ（ｘ）と光学パワーψとの関係が次式（８）によって求められる。
Ｌ（０）−Ｌ（ｘ）＝ψ・ｘ２／２        （８）
【０１２３】
ここで、図１８の説明に戻る。
ｘｚ面上の軸上光線Ｒｘがシリンドリカルレンズ５において受ける軸上主光線すなわち光軸に沿った光線ＲＡに対する位相進み量ΔＬＯｃは、式（８）に基づいて次式（９）で表される。
ΔＬＯｃ（ｘＯ）＝ＬＯｃ（０）−ＬＯｃ（ｘＯ）＝ψＯｘ・ｘＯ２／２        （９）
ここで、ＬＯｃ（ｘＯ）はシリンドリカルレンズ５における高さｘＯの光線に沿った、入射側接平面から射出側接平面までの光路長の関数である。
【０１２４】
これと同様にして、ｘｚ平面上の軸上光線Ｒｘがシリンドリカルレンズ６において受ける、軸上主光線すなわち光軸に沿った光線ＲＡに対する位相進み量ΔＬＩｃは、次式（１０）で表される。
ΔＬＩｃ（ｘＩ）＝ＬＩｃ（０）−ＬＩｃ（ｘＩ）＝ψＩｘ・ｘＩ２／２        （１０）
ここで、ＬＩｃ（ｘＩ）はシリンドリカルレンズ６における高さｘＩの光線に沿った、入射側接平面から射出側接平面までの光路長の関数である。
【０１２５】
上記式（２）に式（９）、（１０）および（ｘＩ／ｘＯ）２＝βＦ２の関係を適用すると、この例において、シリンドリカルレンズ５が波面錯乱、シリンドリカルレンズ６が波面回復の機能をそれぞれ果たすための条件が式（１１）に示すように求められる。
ψＯｘ／ψＩｘ＝−βＦ２        （１１）
【０１２６】
すなわち、ψＯｘとψＩｘの値は互いに符号が逆であり、かつ、それらの絶対値の比はフィールドレンズ４の横倍率の２乗に比例する必要がある。
なお、ここでは軸上光線に基づいて説明したが、上記条件を満たすならば、シリンドリカルレンズ５，６は軸外光線に対しても同様に波面錯乱と波面回復の機能を果たす。
【０１２７】
また、位相変調素子５，６，６８，６９（図においては、位相変調素子５，６として表示。）としては、シリンドリカルレンズに代えて、本発明の参考実施形態においては、図２０に示されるような１次元バイナリ回折格子、図２１に示されるような１次元正弦波回折格子、図２２に示されるような自由曲面レンズ、図２３に示されるようなコーンレンズ、図２４に示されるような同心円型バイナリ回折格子を採用してもよい。同心円型回折格子としてはバイナリ型に限定されるものではなく、ブレーズド型、正弦波型等の任意の形態を採用することができる。
【０１２８】
ここで、位相変調素子として回折格子５，６を用いた場合について、以下に詳細に説明する。
この場合の中間像ＩＩにおいては回折によって１つの点像が複数の点像に分離される。この作用によって、中間像ＩＩが不鮮明化され、中間結像面の異物の像が最終像に重なって表れることを防止することができる。
【０１２９】
位相変調素子として、回折格子５，６を用いた場合における軸上主光線、すなわち、光軸に沿った光線ＲＡの好ましい経路の一例を図２５に、また、軸上光線ＲＸの好ましい経路の一例を図２６にそれぞれ示す。これらの図において、光線ＲＡ，ＲＸは回折格子５を経て複数の回折光に分離するが、回折格子６を経ることにより元通りの１本の光線になる。
【０１３０】
この場合においても、上記式（１）から（３）を満たすことによって上記効果を達成することができる。
ここで、図２５および図２６に準じて、式（２）は「１本の軸上光線ＲＸが回折格子５，６で受ける位相変調の和は、軸上主光線ＲＡが回折格子５，６で受ける位相変調の和と常に等しい。」と言い換えることができる。
【０１３１】
また、回折格子５，６が周期構造を有する場合、それらの形状（すなわち位相変調特性）が一周期分の領域において式（２）を満たすならば、他の領域においても同様に満たすとみなすことができる。
そこで、回折格子５，６の中央部、すなわち、光軸近傍領域に着目して説明する。図２７は回折格子５の、図２８は回折格子６の、それぞれ中央部の詳細図である。
【０１３２】
ここで、回折格子５，６が式（２）を満たすための条件は以下の通りである。
すなわち、回折格子６における変調の周期ｐＩがフィールドレンズ４によって投影された回折格子５による変調の周期ｐＯと等しくなければならない。また、回折格子６による変調の位相がフィールドレンズ４によって投影された回折格子５による変調の位相に対して反転しており、かつ、回折格子６による位相変調の大きさと回折格子６による位相変調の大きさとが絶対値で等しくなければならない。
【０１３３】
まず、周期ｐＩと投影された周期ｐＯとが等しくなるための条件は式（１２）により表される。
ｐＩ＝｜βＦ｜・ｐＯ        （１２）
【０１３４】
次に、回折格子６による変調の位相が投影された回折格子５による変調の位相に対して反転しているためには、上記式（１２）を満たした上で、例えば、回折格子５はその山領域の中心の１つが光軸と一致するように配置されるとともに、回折格子６はその谷領域の中心の１つが光軸と一致するように配置されればよい。図２７および図２８はその一例に他ならない。
【０１３５】
最後に、回折格子６による位相変調の大きさと、回折格子５による位相変調の大きさとが絶対値で等しいための条件を求める。
回折格子５の光学的なパラメータ（山領域厚さｔＯｃ、谷領域厚さｔＯｔ、屈折率ｎＯ）より、回折格子５の谷領域を透過する軸上光線ＲＸに付与される、光軸に沿った（山領域を透過する）光線ＲＡに対する位相進み量ΔＬＯｄｔは、次式（１３）で表される。
【０１３６】
ΔＬＯｄｔ＝ｎＯ・ｔＯｃ−（ｎＯ・ｔＯｔ＋（ｔＯｃ−ｔＯｔ））
＝（ｎＯ−１）（ｔＯｃ−ｔＯｔ）        （１３）
【０１３７】
同様にして、回折格子６の光学的なパラメータ（山領域厚さｔＩｃ、谷領域厚さｔＩｔ、屈折率ｎＩ）より、回折格子６の山領域を透過する軸上光線ＲＸに付与される、光軸に沿った（谷領域を透過する）光線ＲＡに対する位相進み量ΔＬＩｄｔは、次式（１４）で表される。
ΔＬＩｄｔ＝（ｎＩ・ｔＩｔ＋（ｔＩｃ−ｔＩｔ））−ｎＩ・ｔＩｃ
＝−（ｎＩ−１）（ｔＩｃ−ｔＩｔ）        （１４）
【０１３８】
この場合、ΔＬＯｄｔの値は正、ΔＬＩｄｔの値は負なので、両者の絶対値が等しいための条件は次式（１５）で表される。
ΔＬＯｄｔ＋ΔＬＩｄｔ＝（ｎＯ−１）（ｔＯｃ−ｔＯｔ）−（ｎＩ−１）（ｔＩｃ−ｔＩｔ）＝０（１５）
【０１３９】
なお、ここでは軸上光線に基づいて説明したが、上記条件を満たすならば、軸外光線に対しても、回折格子５は波面散乱、回折格子６は波面回復の機能を果たす。
また、ここでは回折格子５，６の断面形状を台形として説明したが、他の形状でも同様の機能を果たし得ることは言うまでもない。
【０１４０】
さらに、位相変調素子５，６としては、図２９に示されるような球面収差素子、図３０に示されるような不規則形状素子、図３１に示されるような透過型の空間光変調素子６４との組み合わせによる反射型の波面変調素子、図３２に示されるような屈折率分布型素子を採用してもよい。
【０１４１】
さらに、本発明の参考実施形態においては、位相変調素子５，６としては、多数の微小なレンズが並んだフライアイレンズやマイクロレンズアレイ、あるいは多数の微小なプリズムが並んだマイクロプリズムアレイを採用してもよい。
【０１４２】
また、上記実施形態に係る結像光学系１を内視鏡に適用する場合には、図３３に示されるように、対物レンズ（結像レンズ）７０の内部に波面錯乱素子５を配置し、複数のフィールドレンズ４および集光レンズ７１を含むリレー光学系７２を挟んで対物レンズ７０とは反対側に配置された接眼レンズ７３近傍に波面回復素子６を配置すればよい。このようにすることで、フィールドレンズ４の表面近傍に形成される中間像を不鮮明化し、接眼レンズ７３によって結像される最終像を鮮明化することができる。
【０１４３】
また、図３４に示されるように、アクチュエータ６２によってレンズ６１ａを駆動するインナーフォーカス機能付き内視鏡型細径対物レンズ７４内に、波面錯乱素子５を設け、顕微鏡本体７５に設けられたチューブレンズ（結像レンズ）７６の瞳位置近傍に波面回復素子６を配置してもよい。このように、アクチュエータ自身は公知なレンズ駆動手段（たとえば圧電素子）でもよいが、Ｚ軸上での中間像の移動という点では上述した実施形態と同様の観点で中間像の空間変調を実行できるような配置であることが重要である。
【０１４４】
以上に説明した実施形態は、Ｚ軸上での中間像の移動という観点で、空間変調による中間像の不鮮明化を観察装置の結像光学系に適用する場合を論じたものである。もう一つの観点であるＸＹ軸（あるいはＸＹ面）上での中間像の移動という観点で、同様に、観察装置に適用することも可能である。
【０１４５】
以上に論じた本発明の結像光学系のための位相変調素子は、以下に示すような態様であり得、下記に示す主旨に基づき当業者が最適な実施形態を検討することができる。以下の態様によれば、上述した（一組の）位相変調素子における空間的な乱れと該乱れの打ち消しを調整または増大する構成を有することを特徴とする結像光学系のための位相変調素子を提供するので、本発明の位相変調素子による独自の作用効果を進化させ、または実用上有利なものにすることが可能であると言うことができる。
【０１４６】
（１）液晶型の位相変調素子
本発明の参考例においては、前記第１および前記第２の位相変調素子は、複数の基板によって挟まれた液晶を有するように結像光学系を構成してもよい。こうすることで、液晶の複屈折を利用することにより、第１の位相変調素子によって中間像における一つの集光点を複数個の集光点に分離させることによって不鮮明化し、また第２の位相変調素子によって前記分離した集光点を再び一つに重ねることとなり、最終像を鮮明化することができ、よって中間像問題を解決することができる。この場合、複屈折材料としての液晶は、他の複屈折材料、例えば水晶等の無機材料の結晶と比較して、種類が豊富である点において設計の自由度が高いメリットがあり、さらに複屈折の性質が強い点において中間像を不鮮明化する効果が高いメリットがある。
【０１４７】
また、前記基板の液晶との接触面が平面である場合に、平面で挟まれた液晶は複屈折プリズムとして上記の不鮮明化効果を呈するようになる。この場合、液晶を挟む基板の面は平面なので、基板の加工が容易であるというメリットがある。また、前記第１および前記第２の位相変調素子のそれぞれが、液晶よりなる複数個のプリズムで構成されてもよい。この場合、プリズムを一つ増やすごとに，中間像における集光点の数は二倍になり、より多数の集光点に分離されることとなり、よって中間像を不鮮明化する効果が高まる。また、前記第１および前記第２の位相変調素子のそれぞれが、少なくとも１枚の４分の１波長板を有するものであってもよい。この場合、４分の１波長板を用いることによって、分離された集光点の中間像における配置の自由度が高まる。例えば、複数個のプリズムによって４点、あるいは８点等に分離された集光点を一直線上に配置することができるようになる点で好ましい。
また、上述した複屈折によって分離された中間像点が、２次元的に配置された結像光学系とすれば、中間像を効果的に不鮮明化できる点で好ましい。
【０１４８】
また、前記基板の液晶との接触面が凹凸形状（凹面，凸面，または凹と凸の両方がある面．非平面）であるように位相変調素子を構成してもよい。このような構成では、凹凸形状（シリンドリカル面、トーリック面、レンチキュラー面、マイクロレンズアレイ形状、ランダム面等）が本来的に有する中間像の不鮮明化効果を、液晶の複屈折によってさらに高めることができるようになる。また、前記第１および第２の位相変調素子における前記基板の前記凹凸形状が相補的であり、且つ前記第１および第２の位相変調素子における液晶の配向方向が平行であるように設計してもよい。かかる設計によれば、二つの位相変調素子における位相変調に相補性を持たせることができることとなり、すなわち最終的な画像（最終像）の回復ができるようになる。さらに、前記第１および第２の位相変調素子における前記基板の前記凹凸形状が同一であり、且つ前記基板をなす硝材の屈折率が前記液晶の二つの主屈折率の平均値に等しく、且つ前記第１および第２の位相変調素子における液晶の配向方向が直交するように構成してもよい。こうすることによっても、二つの位相変調素子における位相変調に相補性を持たせることができることとなり、すなわち最終像の回復ができるようになる。
【０１４９】
以上、本発明の各実施形態について図面を参照して詳述してきたが、具体的な構成はこの実施形態に限られるものではなく、本発明の要旨を逸脱しない範囲の設計変更等も含まれる。例えば、本発明を上記の各実施形態およびその変形例に適用したものに限定されることなく、これらの実施形態およびその変形例を適宜組み合わせた実施形態に適用してもよく、特に限定されるものではない。
【符号の説明】
【０１５０】
Ｉ  最終像
ＩＩ，ＩＩＡ，ＩＩＢ  中間像
Ｏ  物体
ＰＰＯ，ＰＰＩ  瞳位置
１，１３，３２，４２  結像光学系
２，３  結像レンズ
５  波面錯乱素子（第１の位相変調素子）
６  波面回復素子（第２の位相変調素子）
５Ａ，５Ｂ，６Ａ，６Ｂ  ウォラストンプリズム（プリズム）
９  ４分の１波長板
１０，３０，４０，５０，６０  観察装置
１１，３１，４１  光源
１４，３３  撮像素子（光検出器）
１７，２３  位相変調素子
２０，３６  ビームスプリッタ
２２  光路長可変手段
２２ａ  平面鏡
２２ｂ  アクチュエータ
２８，３８    照明装置
３４  ニポウディスク型コンフォーカル光学系
４３  共焦点ピンホール
４４  光検出器（光電子変換素子）
６１ａ  レンズ（光路長可変手段）
６２  アクチュエータ（光路長可変手段）
６４  空間光変調素子（可変空間位相変調素子）
【図１】
0006496745.tif 000002
【図２】
0006496745.tif 000003
【図３】
0006496745.tif 000004
【図４】
0006496745.tif 000005
【図５】
0006496745.tif 000006
【図６】
0006496745.tif 000007
【図７】
0006496745.tif 000008
【図８】
0006496745.tif 000009
【図９】
0006496745.tif 000010
【図１０】
0006496745.tif 000011
【図１１】
0006496745.tif 000012
【図１２】
0006496745.tif 000013
【図１３】
0006496745.tif 000014
【図１４】
0006496745.tif 000015
【図１５】
0006496745.tif 000016
【図１６】
0006496745.tif 000017
【図１７】
0006496745.tif 000018
【図１８】
0006496745.tif 000019
【図１９】
0006496745.tif 000020
【図２０】
0006496745.tif 000021
【図２１】
0006496745.tif 000022
【図２２】
0006496745.tif 000023
【図２３】
0006496745.tif 000024
【図２４】
0006496745.tif 000025
【図２５】
0006496745.tif 000026
【図２６】
0006496745.tif 000027
【図２７】
0006496745.tif 000028
【図２８】
0006496745.tif 000029
【図２９】
0006496745.tif 000030
【図３０】
0006496745.tif 000031
【図３１】
0006496745.tif 000032
【図３２】
0006496745.tif 000033
【図３３】
0006496745.tif 000034
【図３４】
0006496745.tif 000035